(57)【要約】      （修正有）【課題】岩盤浴用ベッドの使い勝手や清掃を容易なものとすること。【解決手段】横臥台２の上面に岩盤を敷設するとともに、横臥台２の内部に前記岩盤を加熱するためのヒーターを収容した岩盤浴用ベッド１において、横臥台２を被覆するドーム型のカバー３の端部に使用者Ｐの顔を露出させるための切欠部１３を形成するとともに、切欠部１３の両端でカバー３を横臥台２に起倒自在に枢着することにした。また、前記カバー３と横臥台２との枢着部１９を横臥台２の上面よりも下方に形成することにした。【選択図】図１
2008295468.tif 000002
【特許請求の範囲】
【請求項１】
横臥台の上面に岩盤を敷設するとともに、横臥台の内部に前記岩盤を加熱するためのヒーターを収容した岩盤浴用ベッドにおいて、
横臥台を被覆するドーム型のカバーの端部に使用者の顔を露出させるための切欠部を形成するとともに、切欠部の両端でカバーを横臥台に起倒自在に枢着したことを特徴とする岩盤浴用ベッド。
【請求項２】
前記カバーと横臥台との枢着部を横臥台の上面よりも下方に形成したことを特徴とする請求項１に記載の岩盤浴用ベッド。
【発明の詳細な説明】
【技術分野】
【０００１】
本発明は、岩盤浴用ベッドに関するものである。
【背景技術】
【０００２】
近年、麦飯石や電気石などの岩盤を加熱することによって岩盤から放出される遠赤外線やマイナスイオンを利用した岩盤浴が注目を集めている。
【０００３】
この岩盤浴では、入浴施設などの専用施設において、特殊構造の部屋内に架台を設置し、架台の上面に岩盤を敷設するとともに、架台の内部に岩盤を加熱するヒーターを収容したものが広く利用されてきているが、特に最近では、病院や介護施設や一般家庭においても岩盤浴を行うことができるようにするために、岩盤浴用ベッドも考案されている（たとえば、特許文献１参照。）。
【０００４】
この従来の岩盤浴用ベッドでは、前後の支持体の間に横臥台を架設し、横臥台の上面に岩盤を敷設するとともに、横臥台の内部に岩盤を加熱するためのヒーターを収容しており、しかも、横臥台の後側上部にドーム型の固定カバーを取付けるとともに、横臥台の前側上部にドーム型のスライドカバーを取付けて、スライドカバーを前後にスライド移動させることで、スライドカバーを開閉するようにしていた。
【０００５】
【特許文献１】特開２００６−２３０８１４号公報
【発明の開示】
【発明が解決しようとする課題】
【０００６】
ところが、上記従来の岩盤浴用ベッドでは、横臥台の上部に固定カバーとスライドカバーとを取付けた構造となっていたために、スライドカバーを開放した状態にしても、横臥台の後側上部が固定カバーで被覆されており、横臥台の上面全体を露出させることができない構造となっていた。
【０００７】
そのため、上記従来の岩盤浴用ベッドでは、固定カバーが障害となって、横臥台への昇降が困難であり、使い勝手が悪く、また、横臥台の後側上部の清掃が困難であった。
【課題を解決するための手段】
【０００８】
そこで、請求項１に係る本発明では、横臥台の上面に岩盤を敷設するとともに、横臥台の内部に前記岩盤を加熱するためのヒーターを収容した岩盤浴用ベッドにおいて、横臥台を被覆するドーム型のカバーの端部に使用者の顔を露出させるための切欠部を形成するとともに、切欠部の両端でカバーを横臥台に起倒自在に枢着することにした。
【０００９】
また、請求項２に係る本発明では、前記請求項１に係る本発明において、前記カバーと横臥台との枢着部を横臥台の上面よりも下方に形成することにした。
【発明の効果】
【００１０】
そして、本発明では、以下に記載する効果を奏する。
【００１１】
すなわち、本発明では、横臥台の上面に岩盤を敷設するとともに、横臥台の内部に前記岩盤を加熱するためのヒーターを収容した岩盤浴用ベッドにおいて、横臥台を被覆するドーム型のカバーの端部に使用者の顔を露出させるための切欠部を形成するとともに、切欠部の両端でカバーを横臥台に起倒自在に枢着しているために、カバーを横臥台に対して起立させれば、横臥台の上面全体を開放させることができ、横臥台への昇降が容易となって岩盤浴用ベッドの使い勝手を向上させることができるとともに、横臥台の上面を容易に清掃することができて岩盤浴用ベッドの清潔感を向上させることができる。
【００１２】
特に、カバーと横臥台との枢着部を横臥台の上面よりも下方に形成した場合には、横臥台の上面を清掃する際にカバーと横臥台との枢着部が邪魔にならず、横臥台の上面をより一層容易に清掃することができる。
【発明を実施するための最良の形態】
【００１３】
以下に、本発明に係る岩盤浴用ベッドの具体的な構成について図面を参照しながら説明する。
【００１４】
図１〜図５に示すように、岩盤浴用ベッド１は、矩形箱型状の横臥台２の頭側端部に横臥台２の上面を被覆するドーム型のカバー３を起倒自在に枢着している。
【００１５】
横臥台２は、矩形枠状のフレーム４の内側下部に網状の鉄筋５を左右一対のアングル6,6を介して着脱自在に取付けるとともに、鉄筋５の上部に断熱材７（発泡スチロール）を敷設し、断熱材７の上部にヒーター８を敷設し、ヒーター８の上部にマット９を敷設し、マット９の上部に岩盤10をモルタルを用いて接着している。ここで、ヒーター８は、岩盤10を加熱するためのものであり、岩盤10は、加熱により遠赤外線やマイナスイオンを発生する鉱石からできている。
【００１６】
カバー３は、ＦＲＰで形成しており、略半円形断面を有する前側カバー11の足側端部に略半円形状の足側カバー12を接続するとともに、前側カバー11の頭側端部を45度の傾斜で切除して前側カバー11の頭側端部に切欠部13を形成してカバー３の頭側端部を左右二股状に形成している。
【００１７】
この切欠部13は、横臥台２に横臥する使用者Ｐの顔を露出させるためのものであり、カバー３の切欠部13よりもやや内側に外部と区画するカーテン14を取付けている。
【００１８】
岩盤浴用ベッド１では、カバー３の切欠部13の左右両端にブラケット15,15を連設し、各ブラケット15の内側に横長筒状の軸支持体16を取付け、一方、横臥台２のフレーム４の頭側端部に横長筒状の軸受体17を取付け、これら軸支持体16,16と軸受体17とにスプリングシャフト18を挿通して、カバー３を横臥台２に切欠部13の両端で起倒自在に枢着している。
【００１９】
ここで、岩盤浴用ベッド１では、軸支持体16,16と軸受体17とスプリングシャフト18から構成されるカバー３と横臥台２との枢着部19をフレーム４の頭側端部の側壁面に形成し、枢着部19を横臥台２の上面よりも下方に形成している。
【００２０】
なお、岩盤浴用ベッド１は、横臥台２の足側端部に加湿器20を載置するとともに、横臥台２の底面四隅にキャスター21を取付けている。
【００２１】
また、岩盤浴用ベッド１は、カバー３の足側左右端部に把手22,22を取付けるとともに、カバー３の切欠部13の近傍に操作パネル23を支持アーム24を介して上下回動自在に取付けている。
【００２２】
岩盤浴用ベッド１は、以上に説明したように構成しており、把手22を持ってカバー３を下方へ向けて倒伏（回動）させると、図６(a)に示すように、横臥台２や使用者Ｐをカバー３で覆うことができ、横臥台２とカバー３とで使用者Ｐを囲み、岩盤浴による温熱効果を向上させることができるとともに、加湿器20により湿度調整を行うことができるようになっている。また、岩盤浴用ベッド１は、把手22を持ってカバー３を上方へ向けて起立（回動）させると、図６(b)に示すように、横臥台２の上面全体を開放させることができ、使用者Ｐの横臥台２への昇降を容易なものとすることができるとともに、横臥台２の上面の清掃作業を容易なものとすることができる。
【００２３】
以上に説明したように、上記岩盤浴用ベッド１では、横臥台２の上面に岩盤10を敷設するとともに、横臥台２の内部に岩盤10を加熱するためのヒーター８を収容し、しかも、横臥台２を被覆するドーム型のカバー３の端部に使用者Ｐの顔を露出させるための切欠部13を形成するとともに、切欠部13の両端でカバー３を横臥台２に起倒自在に枢着した構成となっている。
【００２４】
そのため、上記構成の岩盤浴用ベッド１では、カバー３を横臥台２に対して起立させれば、横臥台２の上面全体を開放させることができ、横臥台２への昇降が容易となって岩盤浴用ベッド１の使い勝手を向上させることができるとともに、横臥台２の上面を容易に清掃することができて岩盤浴用ベッド１の清潔感を向上させることができる。
【００２５】
特に、上記構成の岩盤浴用ベッド１では、カバー３に形成した切欠部13の両端で横臥台２に枢着しているために、カバー３を起立させた状態では横臥台２の端部にカバー３の切欠部13が位置することになり、横臥台２の上面を清掃する際に上面のゴミを切欠部13を通して外部に排除することができ、横臥台２の清掃が非常に容易になっている。
【００２６】
しかも、上記岩盤浴用ベッド１では、カバー３と横臥台２との枢着部19を横臥台２の上面よりも下方に形成しているために、横臥台２の上面を清掃する際にカバー３と横臥台２との枢着部19が邪魔にならず、横臥台２の上面をより一層容易に清掃することができる。
【図面の簡単な説明】
【００２７】
【図１】岩盤浴用ベッドの側面図。
【図２】同平面図。
【図３】同正面図。
【図４】同断面側面図。
【図５】同断面正面図。
【図６】同使用状態説明図。
【符号の説明】
【００２８】
１  岩盤浴用ベッド                      ２  横臥台
３  カバー                              ４  フレーム
５  鉄筋                                ６  アングル
７  断熱材                              ８  ヒーター
９  マット                              10  岩盤
11  前側カバー                          12  足側カバー
13  切欠部                              14  カーテン
15  ブラケット                          16  軸支持体
17  軸受体                              18  スプリングシャフト
19  枢着部                              20  加湿器
21  キャスター                          22  把手
23  操作パネル                          24  支持アーム
Ｐ  使用者
【図１】
2008295468.tif 000003
【図２】
2008295468.tif 000004
【図３】
2008295468.tif 000005
【図４】
2008295468.tif 000006
【図５】
2008295468.tif 000007
【図６】
2008295468.tif 000008